(57)【要約】【課題】遮水シート本体への取り付けが容易な排水管ユニットを提供する。【解決手段】排水管ユニット１０は、排水管２０と補助板部３０とを備える。補助板部３０は、排水管２０が貫通する背板部３１と、背板部３１の下端から排水管２０の延びる方向に沿って延びる底板部３２と、排水管２０の幅方向に沿って互いに向かい合う２つの側板部３３ａ，３３ｂであって、背板部３１および底板部３２の端部に接続した側板部３３ａ，３３ｂとを有する。【選択図】図１
2019198858.tif 000002
【特許請求の範囲】
【請求項１】
排水管と、
前記排水管が貫通する背板部と、前記背板部の下端から前記排水管の延びる方向に沿って延びる底板部と、前記排水管の幅方向に沿って互いに向かい合う２つの側板部であって、前記背板部および前記底板部の端部に接続した前記側板部とを有する補助板部と、
を備える排水管ユニット。
【請求項２】
前記背板部は、前記底板部に対して垂直に延び、
前記２つの側板部の各々の外形は、直角三角形形状を有する
請求項１に記載の排水管ユニット。
【請求項３】
前記排水管の延びる方向において、前記背板部から突出する前記底板部の長さは、前記排水管における前記背板部から前記底板部上に突き出た部分の長さよりも長い
請求項１または２に記載の排水管ユニット。
【請求項４】
前記排水管の延びる方向において、前記背板部から突出する前記底板部の長さは、前記排水管における前記背板部から前記底板部上に突き出た部分の長さ以下である
請求項１または２に記載の排水管ユニット。
【請求項５】
前記補助板部の内側面に固定されて前記補助板部の外側へ延びる遮水シートをさらに備える
請求項１〜４のいずれか一項に記載の排水管ユニット。
【請求項６】
前記背板部の後方で前記排水管が内挿された保護管をさらに備え、
前記保護管の外周面は、前記保護管の下側に位置する土によって下方から支持され、
前記保護管の内周面は、前記保護管に内挿された前記排水管を下方から支持する支持部を備え、当該支持部以外で前記排水管との間に隙間を空ける
請求項１〜５のいずれか一項に記載の排水管ユニット。
【請求項７】
前記排水管は、前記背板部に溶接されている
請求項１〜６のいずれか一項に記載の排水管ユニット。
【発明の詳細な説明】
【技術分野】
【０００１】
本発明は、廃棄物処分場等の遮水構造に用いられる排水管ユニットに関する。
【背景技術】
【０００２】
廃棄物処分場の内部から外部へ排水が漏れ出すことを抑えるために、廃棄物処分場の内部と外部と境界面には、遮水シートが敷設されている。廃棄物処分場の内部で生じた排水は、廃棄物処分場の内部から外部へ遮水シートを貫通して延びる排水管を通って、排水の処理施設へ運ばれる。
【０００３】
廃棄物処分場の内部と外部との間の遮水のためには、遮水シートと排水管とを、強度および止水性の高い方法で接合することが好ましい。例えば、特許文献１では、略矩形板状の遮水シート片を排水管が貫通した構造を有する排水管ユニットを用いて、遮水シートと排水管とを接合することが提案されている。詳細には、遮水シート片と排水管とをポリオレフィン系樹脂接着剤を用いて接合して排水管ユニットを形成した後、廃棄物処分場の内部に設置された遮水シート本体に遮水シート片の端部を溶着することによって、遮水シート本体と排水管ユニットとを接合する。
【先行技術文献】
【特許文献】
【０００４】
【特許文献１】特許第４３９５２３５号明細書
【発明の概要】
【発明が解決しようとする課題】
【０００５】
ところで、上記排水管ユニットは、略円筒状の排水管の周囲に遮水シート片が張り出した構造を有するため、排水管の周方向への回転が規制されにくい。そのため、遮水シート本体と遮水シート片とを接合する際に、遮水シート本体に対する排水管ユニットの位置を安定させにくい。したがって、遮水シート本体への取り付けやすさの向上という観点では、上記排水管ユニットは改善の余地を残している。
本発明は、遮水シート本体への取り付けが容易な排水管ユニットを提供することを目的とする。
【課題を解決するための手段】
【０００６】
上記課題を解決する排水管ユニットは、排水管と、前記排水管が貫通する背板部と、前記背板部の下端から前記排水管の延びる方向に沿って延びる底板部と、前記排水管の幅方向に沿って互いに向かい合う２つの側板部であって、前記背板部および前記底板部の端部に接続した前記側板部とを有する補助板部と、を備える。
【０００７】
上記構成によれば、排水管ユニットの設置箇所に、背板部と底板部とを当接させることによって、排水管ユニットが排水管の周方向に回転することを抑えられる。したがって、遮水シート本体への取り付けに際して、遮水シート本体に対する排水管ユニットの位置を容易に安定させることができる。それゆえ、こうした排水管ユニットによれば、遮水シート本体への取り付けが容易となる。
【０００８】
上記排水管ユニットにおいて、前記背板部は、前記底板部に対して垂直に延び、前記２つの側板部の各々の外形は、直角三角形形状を有してもよい。
上記構成によれば、斜面に敷設された遮水シート本体に取り付けることに適した構造の排水管ユニットが実現される。
【０００９】
上記排水管ユニットにおいて、前記排水管の延びる方向において、前記背板部から突出する前記底板部の長さは、前記排水管における前記背板部から前記底板部上に突き出た部分の長さよりも長くてもよい。
上記構成によれば、排水管における上記突き出た部分に対し、底板部の大きさが大きいため、遮水シート本体への取り付けに際しての排水管ユニットの位置の安定性を高めることができる。
【００１０】
上記排水管ユニットにおいて、前記排水管の延びる方向において、前記背板部から突出する前記底板部の長さは、前記排水管における前記背板部から前記底板部上に突き出た部分の長さ以下であってもよい。
【００１１】
上記構成によれば、排水管における上記突き出た部分に対し、底板部の大きさが小さいため、排水管に対し補助板部の大きさを小さく留められる。したがって、排水管ユニットの小型化が可能である。
上記排水管ユニットにおいて、前記補助板部の内側面に固定されて前記補助板部の外側へ延びる遮水シートをさらに備えてもよい。
【００１２】
上記構成によれば、補助板部の内側面と遮水シートとが固定されているため、遮水シートと補助板部との接合が容易であり、また、排水管ユニットにおいて遮水シートとの接合部分が広く確保される。したがって、遮水シートと補助板部との良好な接合が可能である。
【００１３】
上記排水管ユニットは、前記背板部の後方で前記排水管が内挿された保護管をさらに備え、前記保護管の外周面は、前記保護管の下側に位置する土によって下方から支持され、前記保護管の内周面は、前記保護管に内挿された前記排水管を下方から支持する支持部を備え、当該支持部以外で前記排水管との間に隙間を空けてもよい。
【００１４】
背板部を貫通している排水管は、背板部の後方で、盛土の荷重を受け続ける。そして、盛土の荷重を受ける排水管は、背板部を支点として折れ曲がりやすくなる。この点、上記構成によれば、背板部の後方に位置する排水管の周囲が保護管によって覆われ、その保護管は、土によって下方から支持される。そのため、背板部の後方での盛土による荷重は、保護管に直接作用し、保護管の内部に位置する排水管には作用しがたくなる。結果として、盛土の荷重が排水管に直接作用する構成と比べて、排水管の折れ曲がりを抑えることが可能ともなる。
【００１５】
上記排水管ユニットにおいて、前記排水管は、前記背板部に溶接されてもよい。この構成によれば、排水管と背板部とが溶接によって接続されるため、折れ曲がりなどによる変形を排水管で生じることがさらに抑えられる。
【発明の効果】
【００１６】
本発明によれば、排水管ユニットにおける遮水シート本体への取り付けやすさを向上することができる。
【図面の簡単な説明】
【００１７】
【図１】排水管ユニットの一実施形態について、排水管ユニットの斜視構造を示す図。
【図２】一実施形態の排水管ユニットの正面構造を示す図。
【図３】一実施形態の排水管ユニットの平面構造を示す図。
【図４】一実施形態の排水管ユニットの側面構造を示す図。
【図５】一実施形態の排水管ユニットであって、遮水シート片を備える排水管ユニットの斜視構造を示す図。
【図６】一実施形態の排水管ユニットの使用形態の一例を示す図。
【図７】一実施形態の排水管ユニットの使用形態の他の例を示す図。
【図８】一実施形態の排水管ユニットの使用形態の他の例を示す図。
【発明を実施するための形態】
【００１８】
図１〜図７を参照して、排水管ユニットの一実施形態を説明する。
［排水管ユニットの構造］
【００１９】
図１が示すように、排水管ユニット１０は、排水管２０と、補助板部３０とを備えている。排水管２０は、例えば、ポリエチレン系樹脂製管である。排水管２０は、略円筒形を有していれば、詳細な構造は特に限定されない。本実施形態では、排水管２０が、管同士の接続のための突起２１を有している形態を例示している。その他、排水管２０は、平坦な周面を有していてもよいし、周面に溝やリブ等を有していてもよい。
【００２０】
補助板部３０は、背板部３１と、底板部３２と、２つの側板部３３ａ，３３ｂとを備えている。背板部３１、底板部３２、および、側板部３３ａ，３３ｂの各々は、遮水シートと同種の材料から形成されている。遮水シートの材料としては、軟質合成樹脂またはゴムが用いられる。具体的には、遮水シートの材料として、例えば、エチレン・酢酸ビニル系コポリマー、ポリエチレン系樹脂、オレフィン系樹脂、これらの樹脂とゴムとのブレンド体、軟質ポリ塩化ビニル系樹脂、ウレタン系ゴム、エチレン・プロピレン・ジエン系ゴム、ブチル系ゴムが挙げられる。背板部３１、底板部３２、および、側板部３３ａ，３３ｂの各々は、上述した遮水シートの材料と同種の材料から、遮水シートよりも密度が高く形成されていることが好ましい。例えば、排水管２０と、背板部３１、底板部３２、側板部３３ａ，３３ｂからなる補助板部３０と、遮水シートとは、いずれも、ポリエチレン系樹脂から形成されていると、これらの部材同士の接合が溶着によって良好に可能であるため好ましい。
【００２１】
背板部３１は、外形が実質的に矩形の板状を有し、排水管２０の延びる方向と直交する方向に延びている。排水管２０は、背板部３１を貫通している。底板部３２は、外形が実質的に矩形の板状を有し、背板部３１の下端から排水管２０の延びる方向に沿って延びている。すなわち、背板部３１は、底板部３２に対して垂直に延びている。
【００２２】
側板部３３ａ，３３ｂの各々は、外形が実質的に直角三角形の板状を有する。側板部３３ａと側板部３３ｂとは、排水管２０の幅方向に沿って、排水管２０を挟んで向かい合っている。一方の側板部３３ａは、斜辺部分を上方に向けて、排水管２０の幅方向における背板部３１の一端および底板部３２の一端に接続し、他方の側板部３３ｂは、斜辺部分を上方に向けて、上記幅方向における背板部３１の他端および底板部３２の他端に接続している。
【００２３】
背板部３１、底板部３２、および、側板部３３ａ，３３ｂによって、直方体を対角線に沿って斜めに切断した箱状の構造が形成されている。換言すれば、背板部３１、底板部３２、および、側板部３３ａ，３３ｂは、排水管２０の周囲に、側板部３３ａ，３３ｂの一方を底面とする三角柱状の空間を区画している。背板部３１、底板部３２、および、側板部３３ａ，３３ｂの上端によって開口３５が形成されており、開口３５は開放されている。すなわち、補助板部３０の上部は開放されている。
【００２４】
排水管２０と背板部３１とは、例えば、溶着によって接合されている。背板部３１、底板部３２、および、側板部３３ａ，３３ｂの各板部同士は、固定部材３４によって接続されていてもよいし、溶着によって接合されていてもよい。固定部材３４としては、例えば、ボルトおよびザグリ加工のされた板が用いられる。なお、排水管ユニット１０が遮水シート本体の敷設されている斜面等に埋め込まれた状態において、補助板部３０にかかる荷重に対する補助板部３０の強度を高めるためには、側板部３３ａ，３３ｂは、背板部３１の外側に配置されることが好ましい。
【００２５】
図２が示すように、背板部３１と対向する方向から見て、排水管２０は背板部３１の中央部に位置する。排水管２０と底板部３２との間には隙間が空いており、また、排水管２０と側板部３３ａ，３３ｂの各々との間にも隙間が空いている。
【００２６】
図３および図４が示すように、排水管２０の延びる方向において、背板部３１から突出する底板部３２の長さＬｂと、排水管２０のなかで背板部３１から底板部３２上に突き出ている部分の長さＬｐとの関係は特に限定されない。本実施形態では、底板部３２の長さＬｂが排水管２０の長さＬｐよりも長い形態であって、特に、１／２Ｌｂ＜Ｌｐ＜Ｌｂである形態を例示している。これに限らず、排水管２０の長さＬｐは、底板部３２の長さＬｂの２分の１以下であってもよいし、底板部３２の長さＬｂよりも長くてもよい。
【００２７】
遮水シート本体と排水管ユニット１０とを接合する際に、排水管ユニット１０の位置の安定性を高めるためには、底板部３２の長さＬｂが排水管２０の長さＬｐよりも長いことが好ましい。また、排水管ユニット１０の小型化のためには、底板部３２の長さＬｂが排水管２０の長さＬｐ以下であることが好ましい。
【００２８】
図４が示すように、側板部３３ａ，３３ｂの斜辺部分の角度θは、排水管ユニット１０が設置される斜面の角度に応じて設定される。すなわち、角度θは、水平面に対する遮水シート本体の敷設角度と一致する。
【００２９】
本実施形態では、側板部３３ａ，３３ｂの一方と対向する方向から見て、排水管２０のなかで背板部３１から底板部３２上に突き出ている部分の一部が、補助板部３０から露出して見える形態を例示している。底板部３２の長さＬｂと排水管２０の長さＬｐとの関係、および、角度θの大きさによっては、側板部３３ａ，３３ｂの一方と対向する方向から見て、排水管２０のなかで背板部３１から底板部３２上に突き出ている部分の全体が補助板部３０に隠れていてもよい。
【００３０】
排水管ユニット１０は、遮水シート片４０を備えていてもよい。図５は、遮水シート片４０をさらに備える排水管ユニット１０を示す。遮水シート片４０は、廃棄物処分場に敷設される遮水シート本体と同種のシートであって、遮水シート本体と遮水シート片４０とから遮水シートが構成される。
【００３１】
遮水シート片４０は、補助板部３０の内側面に溶着によって固定されており、補助板部３０の外側まで延びている。図５には、背板部３１、底板部３２、および、側板部３３ａ，３３ｂの各々の内側面の全体を遮水シート片４０が覆っている形態を例示している。これに限らず、遮水シート片４０は、補助板部３０の内側面の少なくとも一部に固定されていればよく、補助板部３０の内側面には遮水シート片４０によって覆われていない部分が存在してもよい。例えば、背板部３１、底板部３２、および、側板部３３ａ，３３ｂの各々の内側面には、遮水シート片４０によって覆われていない部分が存在してもよいし、背板部３１、底板部３２、および、側板部３３ａ，３３ｂのなかに、その内側面の全体が遮水シート片４０から露出している板部が存在してもよい。
【００３２】
また、図５には、遮水シート片４０が、背板部３１、底板部３２、および、側板部３３ａ，３３ｂの各々の縁部から補助板部３０の外側へ突出している形態を例示している。これに限らず、遮水シート片４０は、背板部３１、底板部３２、および、側板部３３ａ，３３ｂの上端によって形成される開口３５の少なくとも一部から、補助板部３０の外側へ突出していればよい。
【００３３】
また、図５には、補助板部３０の外側で、遮水シート片４０が、開口３５を囲む環状を有している形態を例示している。これに限らず、遮水シート片４０は、例えば、補助板部３０の外側で、背板部３１、底板部３２、および、側板部３３ａ，３３ｂの各々から延びる４つの部分に分かれていてもよい。
【００３４】
［排水管ユニットの使用形態］
排水管ユニット１０は、遮水シート片４０を備えた状態、あるいは、遮水シート片４０を備えない状態のいずれかで、排水管ユニット１０の設置箇所まで移送されて遮水シート本体に取り付けられる。
図６を参照して、遮水シート片４０を備えた排水管ユニット１０が遮水シート本体に取り付けられる場合の排水管ユニット１０の使用形態について説明する。
【００３５】
遮水シート本体４１は、例えば、廃棄物処分場に形成された窪地の底面と側面である斜面７０とに敷設されている。斜面７０は例えば土から形成されている。そして、斜面７０に位置する遮水シート本体４１に、排水管ユニット１０が取り付けられる。排水管２０の両端部の各々には別の管体が接続され、これらの管体からなる配管を通って、廃棄物処分場内で生じた排水が廃棄物処分場の内部から外部へ運ばれる。なお、図１〜図７においては、排水管２０における補助板部３０の内側の端部、すなわち、廃棄物処分場の内部側の端部が受口であり、排水管２０における補助板部３０の外側の端部、すなわち、廃棄物処分場の外部側の端部が差口である形態を例示した。これに限らず、排水管２０において、補助板部３０の内側の端部が差口、かつ、補助板部３０の外側の端部が受口であってもよいし、補助板部３０の内側の端部と外側の端部とのいずれもが差口であってもよいし、補助板部３０の内側の端部と外側の端部とのいずれもが受口であってもよい。
【００３６】
排水管ユニット１０の取り付けに関し、詳細には、遮水シート本体４１が敷設された斜面７０に、補助板部３０の外形に沿った形状の凹部６０が形成される。すなわち、凹部６０は、背板部３１が当接される背面６１と、底板部３２が当接される底面６２と、側板部３３ａ，３３ｂの各々が当接される側面（不図示）とを有するように形成される。そして、形成された凹部６０に、補助板部３０が配置され、補助板部３０の外部に延びている遮水シート片４０が、斜面７０上の遮水シート本体４１に溶着によって固定される。遮水シート片４０は、遮水シート本体４１の上に被せられてもよいし、斜面７０と遮水シート本体４１との間に挟まれてもよい。
【００３７】
このとき、凹部６０の背面６１に補助板部３０の背板部３１が当接し、底面６２に底板部３２が当接しているため、排水管ユニット１０が、排水管２０の周方向に回転することが抑えられる。したがって、斜面７０に対する補助板部３０の位置、すなわち、遮水シート本体４１に対する排水管ユニット１０の位置の安定性が高められる。
【００３８】
また、凹部６０は、補助板部３０の外形と同等の大きさに形成すればよく、補助板部３０よりも過度に大きく形成する必要はない。したがって、凹部６０の形成に要する掘削等の作業の負担も軽減される。
【００３９】
また、側板部３３ａ，３３ｂが配置されていることによって、補助板部３０の側方の土等が補助板部３０内に流れ込むことが抑えられるため、凹部６０への補助板部３０の設置および遮水シート本体４１への遮水シート片４０の固定が円滑に進められる。
【００４０】
図７を参照して、遮水シート片４０を備えていない排水管ユニット１０が遮水シート本体４１に取り付けられる場合の排水管ユニット１０の使用形態について説明する。
【００４１】
図６に示した形態と同様に、遮水シート本体４１が敷設された斜面７０に、補助板部３０の外形に沿った形状の凹部６０が形成される。このとき、遮水シート本体４１の端部が、凹部６０内に延びるように、遮水シート本体４１の形状が整えられる。そして、形成された凹部６０に、補助板部３０が配置され、斜面７０から延びる遮水シート本体４１の端部が、補助板部３０の内側面に溶着によって固定される。遮水シート本体４１の端部は、補助板部３０の内側面の少なくとも一部を覆うように、補助板部３０の内側面に固定されればよい。
【００４２】
この場合も、凹部６０の背面６１に補助板部３０の背板部３１が当接し、底面６２に底板部３２が当接しているため、排水管ユニット１０が、排水管２０の周方向に回転することが抑えられる。したがって、遮水シート本体４１に対する排水管ユニット１０の位置の安定性が高められる。
【００４３】
また、図６に示した形態と同様、凹部６０は、補助板部３０の外形と同等の大きさに形成すればよいため、凹部６０の形成に要する負担も軽減される。また、側板部３３ａ，３３ｂが配置されていることによって、補助板部３０の側方の土等が補助板部３０内に流れ込むことが抑えられることも同様である。
【００４４】
また、図６に示した形態と図７に示した形態とのいずれであれ、補助板部３０の内側面に、遮水シート、すなわち、遮水シート片４０もしくは遮水シート本体４１が固定される。したがって、遮水シートと補助板部３０との接合が容易であり、また、排水管ユニット１０において遮水シートとの接合部分が広く確保される。それゆえ、遮水シートと補助板部３０との良好な接合が可能である。また、補助板部３０と遮水シートとが溶着により接合されるため、接着剤を用いて補助板部３０と遮水シートとを接合する形態と比較して、排水管ユニット１０の製造工程における工程や設備の複雑化が抑えられる。
【００４５】
また、図８が示すように、排水管ユニット１０は、保護管８０をさらに備えてもよい。保護管８０は、背板部３１の後方に位置して、排水管２０を内挿されている。保護管８０の外周面は、保護管８０の下側に位置する土９１によって下方から支持される。保護管８０の内周面は、保護管８０の内部に位置する排水管２０を下方から支持する支持部を備える。支持部は、例えば、排水管２０の受け口部などである。保護管８０の内周面のうち支持部以外の部分では、排水管２０の内周面と保護管８０の外周面との間に、隙間が空けられている。
【００４６】
なお、保護管８０の内側には、土９１が入っていない、あるいは、入ったとても微量である。また、保護管８０は、排水管２０に外挿されているのみであるが、背板部３１に溶接されてもよいし、背板部３１から離れていてもよい。こうした保護管８０は、まず、設置された排水管２０に外挿され、その後、保護管８０の下方が土９１によって埋められ、これによって設置される。
【００４７】
排水管２０と背板部３１とは、例えば、ポリエチレンなどの溶接によって接合されている。保護管８０は、排水管２０と背板部３１との溶接部分８１を外方から覆っている。すなわち、保護管８０は、排水管２０と背板部３１との溶接部分８１を盛土９２から保護している。
【００４８】
ここで、仮に、保護管８０を備えていない構成では、背板部３１を貫通している排水管２０が、背板部３１の後方で、盛土９２による荷重を受け続ける。そして、盛土９２の荷重を受け続ける排水管２０は、背板部３１を支点として折れ曲がりやすくもなる。この点、保護管８０を備えた構成であれば、背板部３１の後方に位置する排水管２０が、それの周囲を保護管８０で覆われて、保護管８０は、土９１によって下方から支持される。そのため、背板部３１の後方で生じ得る盛土９２による荷重は、保護管８０に上方から保護管８０に直接作用し、保護管８０の内部に位置する排水管２０には作用しがたくなる。結果として、盛土９２の荷重が排水管２０に直接作用する構成と比べて、排水管２０の折れ曲がりを抑えることが可能ともなる。
【００４９】
以上説明したように、上記実施形態の排水管ユニット１０によれば、以下に列挙する効果を得ることができる。
（１）排水管ユニット１０の設置箇所に、背板部３１と底板部３２とを当接させることによって、排水管ユニット１０が、排水管２０の周方向に回転することを抑えられる。したがって、遮水シート本体４１に対する排水管ユニット１０の位置を容易に安定させることができる。また、排水管ユニット１０を配置するための凹部６０を補助板部３０よりも過度に大きく形成する必要がないため、凹部６０の形成に要する負担も軽減される。それゆえ、こうした排水管ユニット１０によれば、遮水シート本体４１への取り付けが容易となる。
【００５０】
（２）補助板部３０が、側板部３３ａ，３３ｂを有していることによって、補助板部３０の側方の土等が補助板部３０内に流れ込むことが抑えられる。それゆえ、凹部６０への補助板部３０の設置および遮水シート本体４１への遮水シート片４０の固定が円滑に進められる。
【００５１】
（３）背板部３１が底板部３２に対して垂直に延び、２つの側板部３３ａ，３３ｂの各々の外形が直角三角形形状を有する形態であれば、斜面７０に敷設された遮水シート本体４１に取り付けることに適した構造の排水管ユニット１０が実現される。
【００５２】
（４）排水管２０の延びる方向において、底板部３２の長さＬｂが、排水管２０の長さＬｐよりも長い形態であれば、排水管２０における背板部３１から底板部３２上に突き出た部分に対し、底板部３２の大きさが大きいため、遮水シート本体４１への取り付けに際しての排水管ユニット１０の位置の安定性を高めることができる。
【００５３】
一方、排水管２０の延びる方向において、底板部３２の長さＬｂが、排水管２０の長さＬｐ以下である形態であれば、排水管２０における背板部３１から底板部３２上に突き出た部分に対し、底板部３２の大きさが小さいため、排水管２０に対し補助板部３０の大きさを小さく留められる。したがって、排水管ユニット１０の小型化が可能である。
【００５４】
（５）補助板部３０の内側面に、遮水シートが固定される。したがって、遮水シートと補助板部３０との接合が容易であり、また、排水管ユニット１０において遮水シートとの接合部分が広く確保される。それゆえ、遮水シートと補助板部３０との良好な接合が可能である。また、補助板部３０と遮水シートとが溶着により接合されるため、接着剤を用いて補助板部３０と遮水シートとを接合する形態と比較して、排水管ユニット１０の製造工程における工程や設備の複雑化が抑えられる。
【００５５】
（６）排水管２０と背板部３１との溶接部分８１を保護管８０で保護することが可能であって、盛土９２の荷重が排水管２０に直接作用する構成と比べて、排水管２０の折れ曲がりを抑えることが可能ともなる。
【００５６】
（変形例）
上記実施形態は、以下のように変更して実施することが可能である。
・補助板部３０が少なくとも背板部３１と底板部３２とを備える構成であれば、上記（１）の効果は得られる。底板部３２に対する背板部３１の角度や、背板部３１、底板部３２、および、側板部３３ａ，３３ｂの各々の外形は、上記実施形態と異なっていてもよい。
【００５７】
・遮水シート片４０もしくは遮水シート本体４１は、補助板部３０に固定されればよく、補助板部３０の内側面に限らず、例えば、補助板部３０の外側面に固定されてもよい。
【符号の説明】
【００５８】
１０…排水管ユニット、２０…排水管、２１…突起、３０…補助板部、３１…背板部、
【００５９】
３２…底板部、３３ａ，３３ｂ…側板部、３４…固定部材、３５…開口、４０…遮水シート片、４１…遮水シート、６０…凹部、６１…背面、６２…底面、７０…斜面。
【図１】
2019198858.tif 000003
【図２】
2019198858.tif 000004
【図３】
2019198858.tif 000005
【図４】
2019198858.tif 000006
【図５】
2019198858.tif 000007
【図６】
2019198858.tif 000008
【図７】
2019198858.tif 000009
【図８】
2019198858.tif 000010